【事件の表示】
　平成１１年特許願第　８２６４９号「波形圧縮方法及び波形生成方法」拒絶査定不服審判事件〔平成１２年１０月　６日出願公開、特開２０００−２７６１９４〕について、次のとおり審決する。
【結　論】
　本件審判の請求は、成り立たない。
【理　由】
１．手続の経緯
　本願は、平成１１年３月２５日の出願であって、平成１７年８月２日付けで拒絶査定がなされ、これに対し、同年９月５日に拒絶査定に対する審判請求がなされるとともに、同年１０月５日付けで手続補正がなされたものである。
　
２．平成１７年１０月５日付けの手続補正についての補正却下の決定
［補正却下の決定の結論］
　平成１７年１０月５日付けの手続補正を却下する。
　
［理由］
２−１．補正後の本願発明
　本件補正により、特許請求の範囲の請求項１は、
「入力した楽音の波形データを調和成分と調和外成分とに分離する過程と、
　記憶された調和成分波形データである複数の調和ベクトルを供給する過程と、
　前記分離された調和成分として使用できる調和ベクトルを前記複数の調和ベクトルの中から選択して調和成分をベクトル量子化し、該選択された調和ベクトルを指示する指示情報を含む第１の圧縮データを生成する過程と、
　記憶された調和外成分波形データである複数の調和外ベクトルを供給する過程と、
　前記分離された調和外成分として使用できる調和外ベクトルを前記複数の調和外ベクトルの中から選択して調和外成分をベクトル量子化し、該選択された調和外ベクトルを指示する指示情報を含む第２の圧縮データを生成する過程と
を具えた波形圧縮方法。」
と補正された。（この記載の事項により特定される発明を以下、「本願補正発明」という。）
　上記補正は補正前の「波形データ」を「楽音の波形データ」とするものであるから、特許請求の範囲の限定的減縮を目的とするものといえる。
　そこで、本願補正発明が特許出願の際独立して特許を受けることができるものであるか（平成１８年改正前特許法第１７条の２第５項において準用する同法第１２６条第５項の規定に適合するか）について以下に検討する。
　
２−２．引用例
　原査定の拒絶の理由に引用された特開昭６１−１０４４００号公報（以下「引用例」という。）には、図面とともに以下の記載がなされている。
　
（１）「入力された音信号をフィルタを用いて周期成分と非周期成分とに分離すること、分離された周期成分と非周期成分を所定の符号化方式で符号化すること、符号化された周期成分および非周期成分の波形データをメモリに記憶させることの過程から成る音記録方法。」
（特許請求の範囲）
　
（２）「〔産業上の利用分野〕
　この発明は、楽音信号などの音信号を符号化してメモリに記憶させる際の音記録方法に関するものである。」
（第１頁左下欄第１２行−同欄第１５行）
　
（３）「〔問題点を解決するための手段〕
　この発明は上述のような事情に鑑みなされたもので、周期信号を多く含む楽音信号などの音信号を記憶するメモリの容量を節約し得る音記録方法を提供することを目的としている。この目的を達成するために、この発明では入力された音信号をフィルタを用いて周期成分と非周期成分とに分離した後、各成分を所定の符号化方式で符号化して圧縮し、メモリに記憶させるようにしている。
〔作用〕
　周期成分と非周期成分とを分離して符号化することにより、例えば楽音信号では非周期成分が少いのでその符号化データのデータ数やビット数が少なくなり、全体としての圧縮率が高まり、メモリ容量も小さくて済む。」
（第１頁右下欄第１４行−第２頁左上欄第８行）
　
（４）「〔実施例〕
　第１図はこの発明による音記録方法の流れ図を示すものであり、入力音信号ｘは周期成分ｘＰを取り出すフィルタＨＰおよび非周期成分ｘＡを取り出すフィルタＨＡによって周期成分ｘＰと非周期成分ｘＡとに分離される。この場合のフィルタＨＰおよびＨＡは、第２図（ａ），（ｂ）に示すように相補的なフィルタ特性に設定され、フィルタＨＰのフィルタ特性における山の部分およびフィルタＨＡのフィルタ特性における谷の部分は入力音信号ｘの基本周波数の整数倍の位置に現われるように設定される。このようなフィルタ特性は、ＩＩＲフィルタあるいはＦＩＲフィルタを用いることにより実現できる。」
（第２頁左上欄第９行−同頁右上欄第１行）
　
　したがって、引用例には次の発明（以下、「引用発明」という。）が記載されている。
　
「入力された楽音信号を周期成分と非周期成分とに分離すること、分離された周期成分と非周期成分を所定の符号化方式で符号化して圧縮することの過程から成る方法。」
　
２−３．対比
　引用発明の「周期成分」は上記（４）のように入力音信号Ｘの基本周波数の整数倍の位置に山の部分が現われるようにフィルタ特性が設定されたフィルタＨＰにより分離されるものであるから、本願補正発明の「調和成分」に相当し、引用発明の「非周期成分」はフィルタＨＰと相補的なフィルタ特性のフィルタＨＡにより分離されるものであるから、本願補正発明の「調和外成分」に相当するものである。
　また、本願補正発明の
「記憶された調和成分波形データである複数の調和ベクトルを供給する過程と、
　前記分離された調和成分として使用できる調和ベクトルを前記複数の調和ベクトルの中から選択して調和成分をベクトル量子化し、該選択された調和ベクトルを指示する指示情報を含む第１の圧縮データを生成する過程と、」
は、調和成分波形データを符号化して圧縮することと、
「記憶された調和外成分波形データである複数の調和外ベクトルを供給する過程と、
　前記分離された調和外成分として使用できる調和外ベクトルを前記複数の調和外ベクトルの中から選択して調和外成分をベクトル量子化し、該選択された調和外ベクトルを指示する指示情報を含む第２の圧縮データを生成する過程と」
は、調和外成分波形データを符号化して圧縮することと、それぞれいうことができる。
　したがって、本願補正発明と引用発明とを対比すると、次の点で一致するといえる。
　
「入力した楽音の波形データを調和成分と調和外成分とに分離する過程と、
　前記分離された調和成分を符号化して圧縮する過程と、
　前記分離された調和外成分を符号化して圧縮する過程と
を具えた波形圧縮方法。」
　
　また次の点で相違する。
　
　相違点
　引用発明では、調和成分及び調和外成分を符号化して圧縮する過程が具体的に特定されていないのに対して、本願補正発明では、
「記憶された調和成分波形データである複数の調和ベクトルを供給する過程と、
　前記分離された調和成分として使用できる調和ベクトルを前記複数の調和ベクトルの中から選択して調和成分をベクトル量子化し、該選択された調和ベクトルを指示する指示情報を含む第１の圧縮データを生成する過程と、」
及び
「記憶された調和外成分波形データである複数の調和外ベクトルを供給する過程と、
　前記分離された調和外成分として使用できる調和外ベクトルを前記複数の調和外ベクトルの中から選択して調和外成分をベクトル量子化し、該選択された調和外ベクトルを指示する指示情報を含む第２の圧縮データを生成する過程と」
と、ベクトル量子化により符号化して圧縮することが特定されている点。
　
２−４．相違点に対する判断
　楽音の波形データをベクトル量子化により符号化して圧縮することは、下記のように周知のことであるから、引用発明において、調和成分及び調和外成分を符号化して圧縮する過程をベクトル量子化によるものとして、本願補正発明のようにすることに困難な点はないから、本願補正発明は、引用発明に基づいて、当業者が容易に発明をすることができたものであり、特許法第２９条第２項の規定により、特許出願の際独立して特許を受けることができないものである。
　
　　　　　　　　　　　　　　　　 記
　
周知例１．特開平１１−５２９９０号公報　（平成１１年２月２６日出願公開）
「【０００１】
【発明の属する技術分野】本発明は、一連の音声を表すデータ列の圧縮処理を行う音声圧縮装置、および一連の音声を表す圧縮されたデータ列の伸長処理を行う音声伸長装置に関する。尚、本発明において「音声」とは人間の声の他、楽音や効果音など可聴域の音全てを含む概念をいう。」
及び
「【００２４】他の圧縮方法としては、……、各ブロックに含まれるデータを一括してベクトル量子化する方法等がある。」
等と記載されている。
　
周知例２．特開平７−２３４６９８号公報
「【特許請求の範囲】
【請求項１】　入力される楽音を含む音声信号を符号化復号化する方法において、
入力音声信号系列を分析して音声信号符号化復号化の基本構成を指定する基本パラメータを抽出および／またはベクトル量子化に使用される符号帳の学習を行なうことにより基本パラメータおよび／または符号帳の内容を最適化し、最適化された基本パラメータおよび／または最適化された符号帳の内容を伝送し、伝送された基本パラメータおよび／または符号帳の内容を使用して復号化することを特徴とする音声信号符号化復号化方法。」
及び
「【０００１】
【産業上の利用分野】この発明は、音声信号符号化復号化方法に関し、特に、楽音を含む音声信号をでき得る限り少ない情報量によりディジタル符号化する高能率の音声信号符号化復号化方法に関する。」
等と記載されている。
　
周知例３．特開平６−３４８２７４号公報
「【００１７】また、数値化された楽音波形を記憶する波形ＲＯＭ２１と、波形ＲＯＭ２１内に圧縮して記憶されている楽音波形をＰＣＭ波形データとして展開するための波形ＲＡＭ２３とが、システムバス２５を介して音源システム１３に接続されている。波形ＲＯＭ２１には、所定の方式（例えば、ＡＤＰＣＭ，ベクトル量子化など）にて圧縮して数値化された楽音波形が、所定のアドレスから記憶されている。」
等と記載されている。
　
２−５．むすび
　したがって、本件補正は、平成１８年改正前特許法第１７条の２第５項において準用する同法第１２６条第５項の規定に違反するので、特許法第１５９条第１項において読み替えて準用する同法第５３条第１項の規定により却下すべきものである。
　
３．本願発明について
　平成１７年１０月５日付けの手続補正は上記のとおり却下されたので、本願の請求項１に係る発明（以下、同項記載の発明を「本願発明」という。）は、平成１７年５月９日付けの手続補正書の特許請求の範囲の請求項１に記載された事項により特定される、以下のとおりのものである。
　
「入力した波形データを調和成分と調和外成分とに分離する過程と、
　記憶された調和成分波形データである複数の調和ベクトルを供給する過程と、
　前記分離された調和成分として使用できる調和ベクトルを前記複数の調和ベクトルの中から選択して調和成分をベクトル量子化し、該選択された調和ベクトルを指示する指示情報を含む第１の圧縮データを生成する過程と、
　記憶された調和外成分波形データである複数の調和外ベクトルを供給する過程と、
　前記分離された調和外成分として使用できる調和外ベクトルを前記複数の調和外ベクトルの中から選択して調和外成分をベクトル量子化し、該選択された調和外ベクトルを指示する指示情報を含む第２の圧縮データを生成する過程と
を具えた波形圧縮方法。」
　
　原査定の拒絶の理由に引用された特開昭６１−１０４４００号公報の記載事項は、前記２−２．のとおりである。
　そして、本願発明は、波形データに関して本願補正発明にある「楽音の」との特定がないものであるから、本願補正発明と同様の理由により、引用発明に基づき当業者が容易に発明をすることができたものであるから、特許法第２９条第２項の規定により特許を受けることができない。
　よって、結論のとおり審決する。